(57)【要約】      （修正有）【課題】折りたたみ可能で、軽量で丈夫なショッピングカートを提供する。また、スーパーでの買い物の際に、購入した商品を袋詰めする手間が省けるかご付きショッピングカートを提供する。【解決手段】ショッピングカート１０は、それぞれ下端部に車輪１６を有し、互いに間隔を空けて配置され上下方向に延びる４本の脚部１２ａ〜１２ｄと、各脚部１２ａ〜１２ｄを水平方向に移動させる折りたたみ機構１４と、を備え、かごが載せられることによって、折りたたみ機構１４の動作が制限される。【選択図】図１Ａ
0003174856.tif 000002
【実用新案登録請求の範囲】
【請求項１】
それぞれ下端部に車輪を有し、互いに間隔を空けて配置され上下方向に延びる４本の脚部と、
前記各脚部を水平方向に移動させる折りたたみ機構と、を備え、
かごが載せられることによって、前記折りたたみ機構の動作が制限されるショッピングカート。
【請求項２】
前記折りたたみ機構は、前記脚部をジョイントとし、前記脚部を連結する連結部をリンクとする平行四辺形リンクによって構成される請求項１記載のショッピングカート。
【請求項３】
前記脚部の材質がアルミニウムである請求項２記載のショッピングカート。
【請求項４】
平面視して、前記各車輪が、長方形の角部に配置される請求項３記載のショッピングカート。
【請求項５】
前記車輪の動作を制限するロック機構を更に備えた請求項４記載のショッピングカート。
【請求項６】
前記折りたたみ機構の動作を制限する折りたたみ動作制限機構を更に備えた請求項１から５のいずれか記載のショッピングカート。
【請求項７】
それぞれ下端部に車輪を有し、上下方向に延びる第１〜第４脚部と、
一端部が前記第１脚部に回転可能に設けられ、他端部が前記第２脚部に回転可能に設けられた第１連結部と、
一端部が前記第２脚部に回転可能に設けられ、他端部が前記第３脚部に回転可能に設けられた第２連結部と、
一端部が前記第３脚部に回転可能に設けられ、他端部が前記第４脚部に回転可能に設けられた第３連結部と、
一端部が前記第４脚部に回転可能に設けられ、他端部が前記第１脚部に回転可能に設けられた第４連結部と、
一端部が前記第１連結部に、他端部が前記第３連結部に取り付けられたチェーンと、を備え、
前記チェーンに載るかごによって、前記各連結部の回転が制限されるショッピングカート。
【請求項８】
前記第１連結部は、高さ位置Ｈを挟んだ上下位置にてそれぞれ延びる２本の連結フレームＡであり、
前記第２連結部は、前記高さ位置Ｈにて延びる連結フレームＢであり、
前記第３連結部は、前記高さ位置Ｈを挟んで上下位置にてそれぞれ延びる２本の連結フレームＣであり、
前記第４連結部は、前記高さ位置Ｈにて延びる連結フレームＤである請求項７記載のショッピングカート。
【請求項９】
それぞれ下端部に車輪を有し、上下方向に延びる第１〜第４脚部と、
一端部が前記第１脚部に回転可能に設けられ、他端部が前記第２脚部に回転可能に設けられた第１連結部と、
一端部が前記第２脚部に回転可能に設けられ、他端部が前記第３脚部に回転可能に設けられた第２連結部と、
一端部が前記第３脚部に回転可能に設けられ、他端部が前記第４脚部に回転可能に設けられた第３連結部と、
一端部が前記第４脚部に回転可能に設けられ、他端部が前記第１脚部に回転可能に設けられた第４連結部と、
一端部が前記第１連結部に、他端部が前記第３連結部に取り付けられたチェーンと、
前記チェーンに載り、前記各連結部の回転を制限するかごと、を備えたかご付きショッピングカート。
【考案の詳細な説明】
【技術分野】
【０００１】
本考案は、折りたたみ可能なショッピングカートであって、例えば自動車に載せて搬送可能なショッピングカート及びかご付きショッピングカートに関する。
【背景技術】
【０００２】
以前より、折りたたみ式のショッピングカートが知られている。
例えば、特許文献１には、車両搭載用カートが記載されている。この車両搭載用カートは、キャスター付きの台車枠体と、台車枠体から立設されている支柱部材を介して台車枠体上に配設されている物品収納用の手押し枠体と、を備えている。
車両搭載用カートは、支柱部材が台車枠体内に折りたたみ可能に設けられると共に、手押し枠体が支柱部材を折りたたむ動作に連動して台車枠体上に沈み込んで、全体の高さが自動車の荷室内に収まる大きさに切り替え可能になっている。
【０００３】
また、特許文献２には、折りたたみ式ショッピングカートが記載されている。この折りたたみ式ショッピングカートは、支柱を伸縮可能にすることで、コンパクトにたためるようにしている。
【先行技術文献】
【特許文献】
【０００４】
【特許文献１】特開平１１−５９４２８号公報
【特許文献２】特開２００７−３０８５６号公報
【考案の概要】
【考案が解決しようとする課題】
【０００５】
しかしながら、特許文献１に記載の車両搭載用カートについては、ユーザが、かがんで折りたたみ機構を操作しなければならず、折りたたむための作業が容易ではない。
また、特許文献１に記載の車両搭載用カート及び特許文献２に記載の折りたたみ式ショッピングカートについては、水平方向（左右方向）に折りたたまれるものではないので、広い保管スペースを必要とする。
【０００６】
本考案は、このような課題を解決することを目的とし、折りたたみ可能で、軽量で丈夫なショッピングカートを提供することを目的とする。また、スーパーでの買い物の際に、購入した商品を袋詰めする手間が省けるかご付きショッピングカートを提供することを目的とする。
【課題を解決するための手段】
【０００７】
上記課題を解決するために、本考案のショッピングカートは、それぞれ下端部に車輪を有し、互いに間隔を空けて配置され上下方向に延びる４本の脚部と、前記各脚部を水平方向に移動させる折りたたみ機構と、を備え、かごが載せられることによって、前記折りたたみ機構の動作が制限される。
【０００８】
また、本考案のショッピングカートは、それぞれ下端部に車輪を有し、上下方向に延びる第１〜第４脚部と、一端部が前記第１脚部に回転可能に設けられ、他端部が前記第２脚部に回転可能に設けられた第１連結部と、一端部が前記第２脚部に回転可能に設けられ、他端部が前記第３脚部に回転可能に設けられた第２連結部と、一端部が前記第３脚部に回転可能に設けられ、他端部が前記第４脚部に回転可能に設けられた第３連結部と、一端部が前記第４脚部に回転可能に設けられ、他端部が前記第１脚部に回転可能に設けられた第４連結部と、一端部が前記第１連結部に、他端部が前記第３連結部に取り付けられたチェーンと、を備え、前記チェーンに載るかごによって、前記各連結部の回転が制限される。
【０００９】
また、本考案のかご付きショッピングカートは、それぞれ下端部に車輪を有し、上下方向に延びる第１〜第４脚部と、一端部が前記第１脚部に回転可能に設けられ、他端部が前記第２脚部に回転可能に設けられた第１連結部と、一端部が前記第２脚部に回転可能に設けられ、他端部が前記第３脚部に回転可能に設けられた第２連結部と、一端部が前記第３脚部に回転可能に設けられ、他端部が前記第４脚部に回転可能に設けられた第３連結部と、一端部が前記第４脚部に回転可能に設けられ、他端部が前記第１脚部に回転可能に設けられた第４連結部と、一端部が前記第１連結部に、他端部が前記第３連結部に取り付けられたチェーンと、前記チェーンに載り、前記各連結部の回転を制限するかごと、を備える。
【考案の効果】
【００１０】
本考案のショッピングカート及びかご付きショッピングカートは、脚部を水平方向に移動させる折りたたみ機構を備えているので小さなスペースに保管できる。折りたたみの為の作業も容易である。
また、本考案のショッピングカート及びかご付きショッピングカートは、例えば自動車に載せて搬送可能であり、自動車に積みこんで買い物に出かけ、自動車から降ろしてスーパー店内に入ることができる。買い物を終えた後には、ショッピングカートを折りたたみ、再び自動車に積みこんで帰宅することができるので、利便性が極めて高い。
【図面の簡単な説明】
【００１１】
【図１Ａ】本考案の実施の形態１におけるショッピングカートの斜視図である。
【図１Ｂ】かご付きショッピングカートの斜視図である。
【図２Ａ】同ショッピングカートの正面図である。
【図２Ｂ】同ショッピングカートの側面図である。
【図２Ｃ】同ショッピングカートの平面図である。
【図３】同ショッピングカートが折りたたまれた状態を示す斜視図である。
【図４】本考案の実施の形態２におけるショッピングカートの折りたたみ動作制限機構を示す説明図である。
【考案を実施するための形態】
【００１２】
本考案の第１の考案に係るショッピングカートは、それぞれ下端部に車輪を有し、互いに間隔を空けて配置され上下方向に延びる４本の脚部と、各脚部を水平方向に移動させる折りたたみ機構と、を備え、かごが載せられることによって、折りたたみ機構の動作が制限される。
この構成により、ショッピングカートの折りたたみ作業が容易となる。
【００１３】
本考案の第２の考案に係るショッピングカートでは、折りたたみ機構は、脚部をジョイントとし、脚部を連結する連結部をリンクとする平行四辺形リンクによって構成される。
この構成により、ショッピングカートを小さなスペースに保管できる。
【００１４】
本考案の第３の考案に係るショッピングカートでは、脚部の材質がアルミニウムである。
この構成により、軽量で丈夫なショッピングカートが構成される。
【００１５】
本考案の第４の考案に係るショッピングカートでは、平面視して、各車輪が、長方形の角部に配置される。
この構成により、車輪が長方形の角部に配置されたショッピングカートが構成される。
【００１６】
本考案の第５の考案に係るショッピングカートでは、車輪の動作を制限するロック機構を更に備えている。
この構成により、ショッピングカートを床面に対して固定することができる。
【００１７】
本考案の第６の考案に係るショッピングカートでは、折りたたみ機構の動作を制限する折りたたみ動作制限機構を更に備えている。
この構成により、かごが載せられていない場合であっても、折りたたみ機構の動作を制限できる。
【００１８】
本考案の第７の考案に係るショッピングカートでは、それぞれ下端部に車輪を有し、上下方向に延びる第１〜第４脚部と、一端部が第１脚部に回転可能に設けられ、他端部が第２脚部に回転可能に設けられた第１連結部と、一端部が第２脚部に回転可能に設けられ、他端部が第３脚部に回転可能に設けられた第２連結部と、一端部が第３脚部に回転可能に設けられ、他端部が第４脚部に回転可能に設けられた第３連結部と、一端部が第４脚部に回転可能に設けられ、他端部が第１脚部に回転可能に設けられた第４連結部と、一端部が第１連結部に、他端部が第３連結部に取り付けられたチェーンと、を備え、チェーンに載るかごによって、各連結部の回転が制限される。
【００１９】
この構成により、ショッピングカートの折りたたみ作業が容易となる。
【００２０】
本考案の第８の考案に係るショッピングカートでは、第１連結部は、高さ位置Ｈを挟んだ上下位置にてそれぞれ延びる２本の連結フレームＡであり、第２連結部は、高さ位置Ｈにて延びる連結フレームＢであり、第３連結部は、高さ位置Ｈを挟んで上下位置にてそれぞれ延びる２本の連結フレームＣであり、第４連結部は、高さ位置Ｈにて延びる連結フレームＤである。
【００２１】
この構成により、丈夫なショッピングカートが構成される。
【００２２】
本考案の第９の考案に係るかご付きショッピングカートでは、それぞれ下端部に車輪を有し、上下方向に延びる第１〜第４脚部と、一端部が第１脚部に回転可能に設けられ、他端部が第２脚部に回転可能に設けられた第１連結部と、一端部が第２脚部に回転可能に設けられ、他端部が第３脚部に回転可能に設けられた第２連結部と、一端部が第３脚部に回転可能に設けられ、他端部が第４脚部に回転可能に設けられた第３連結部と、一端部が第４脚部に回転可能に設けられ、他端部が第１脚部に回転可能に設けられた第４連結部と、一端部が第１連結部に、他端部が第３連結部に取り付けられたチェーンと、チェーンに載り、各連結部の回転を制限するかごと、を備える。
【００２３】
この構成により、かご付きショッピングカートの折りたたみ作業が容易となる。
【００２４】
以下、図面を用いて、本考案の実施の形態について説明する。図１Ａは、本考案の一実施の形態におけるショッピングカート１０の斜視図である。図１Ｂは、かご付きショッピングカート１０ａの斜視図である。
【００２５】
（実施の形態１）
まず、実施の形態１について説明する。
（全体概要）
本考案の実施の形態１に係るショッピングカート１０は、図１Ａに示すように、例えばスーパーで買い物をする際に購入商品を運ぶためのカートである。ショッピングカート１０は、図１Ｂに示すように、かご付きショッピングカート１０ａとして、買い物用のかご１１を載せることができる。
【００２６】
ショッピングカート１０は、図１Ａに示すように、第１〜第４脚部１２ａ〜１２ｄと、折りたたみ機構１４とを備えている。
【００２７】
（脚部）
各脚部１２ａ〜１２ｄは、それぞれ上下方向に延び、互いに間隔を空けて配置されている。
各脚部１２ａ〜１２ｄは、下端部にキャスター（車輪の一例）１６を有している。各キャスター１６は、平面視して長方形の角部に配置される。各キャスター１６には、キャスター１６の回転動作を制限するロック機構（不図示）を設けることも可能である。キャスター１６にロック機構を設けることによって、ショッピングカート１０が、床面に対して固定され、不用意に移動してしまうことが防止される。
各脚部１２ａ〜１２ｄは、例えば、パイプにより構成され、その素材は、例えばアルミニウムである。
【００２８】
（折りたたみ機構）
図３は、ショッピングカート１０が折りたたまれた状態を示す斜視図である。折りたたみ機構１４は、ショッピングカート１０を折りたたむための機構である。折りたたみ機構１４によって、各脚部１２ａ〜１２ｄが水平方向に移動可能となり、図３に示すように、ショッピングカート１０が折りたたまれる。
【００２９】
折りたたみ機構１４は、具体的には、第１〜第４脚部１２ａ〜１２ｄをジョイントとし、各脚部１２ａ〜１２ｄを連結する第１〜第４連結部２０ａ〜２０ｄをリンクとする平行四辺形リンクによって構成される。
【００３０】
このように折りたたみ機構１４が平行四辺形リンクによって構成されているので、対向する連結部は、互いに平行の状態を維持した状態で、脚部を回転中心として回転できる。換言すると、第１〜第４連結部１２ａ〜１２ｄの開閉に伴い、各脚部１２ａ〜１２ｄは、水平方向に移動できる。
【００３１】
（第１連結部）
図２Ａは、ショッピングカート１０の正面図である。図２Ｂは、ショッピングカート１０の側面図である。図２Ｃは、同ショッピングカート１０の平面図である。第１連結部２０ａは、図２Ｃに示すように、一端部が第１脚部１２ａに回転可能に設けられ、他端部が第２脚部１２ｂに回転可能に設けられている。第１連結部２０ａは、高さ位置Ｈ（図２Ａ参照）を挟んだ上下位置にてそれぞれ水平方向に延びる２本の連結フレームＡによって構成されている。
【００３２】
（第２連結部）
第２連結部２０ｂは、図２Ｃに示すように、一端部が第２脚部１２ｂに回転可能に設けられ、他端部が第３脚部１２ｃに回転可能に設けられている。第２連結部２０ｂは、高さ位置Ｈ（図２Ｂ参照）にて水平方向に延びる連結フレームＢによって構成されている。なお、連結フレームＢは、連結フレームＡよりも短い。
【００３３】
連結フレームＢには、折りたたみ動作を妨げない位置に、水平方向に延びるハンドルを設けることができる。連結フレームＢ自体をハンドルとして構成することも可能である。ハンドルを設けることによって、使用者がショッピングカートを使用する際の利便性が向上する。
【００３４】
（第３連結部）
第３連結部２０ｃは、図２Ｃに示すように、一端部が第３脚部１２ｃに回転可能に設けられ、他端部が第４脚部１２ｄに回転可能に設けられている。第３連結部２０ｃは、高さ位置Ｈを挟んで上下位置にてそれぞれ水平方向に延びる２本の連結フレームＣによって構成されている（図１Ａ参照）。
【００３５】
（第４連結部）
第４連結部２０ｄは、図２Ｃに示すように、一端部が第４脚部１２ｄに回転可能に設けられ、他端部が第１脚部１２ａに回転可能に設けられている。第４連結部２０ｄは、高さ位置Ｈにて水平方向に延びる連結フレームＤによって構成されている（図１Ａ参照）。
【００３６】
なお、各連結フレームＡ〜Ｄは、例えば、薄板状の部材であり、その素材はステンレス又はアルミニウムである。
このように、平面視して長方形となるショッピングカート１０の長辺部分を構成する第１連結部２０ａ及び第３連結部２０ｃは、それぞれ、上下方向に配置された１対の連結部材Ａ、Ｃによって連結される。従って、第１連結部２０ａ及び第３連結部２０ｃが、それぞれ、１つの連結部材Ａ、Ｃによって構成されている場合と比較して、剛性が向上し、丈夫なショッピングカートが構成される。
【００３７】
（チェーン）
ショッピングカート１０は、図１Ａ及び図２Ａ〜図２Ｃに示すように、更に、１対のチェーン３０ａ、３０ｂを備えている。かご１１は、これら１対のチェーン３０ａ、３０ｂの上に載せられる。各チェーン３０ａ、３０ｂは、それぞれ一端部が第１連結部２０ａの下側の連結フレームＡに、他端部が第３連結部２０ｃの下側の連結フレームＣに取り付けられている。各チェーン３０ａ、３０ｂは、たるみを持った状態で取り付けられている。
【００３８】
このように、チェーン３０ａ、３０ｂによってかごが支持されるので、軽量なショッピングカート１０が構成される。また、後述するように、チェーン３０ａ、３０ｂは、柔軟性を有しているため、ショッピングカートの折りたたみ動作を妨げない。
なお、各チェーン３０ａ、３０ｂに代えて、線条体とすることも可能である。この線条体は、例えば、ワイヤロープである。
【００３９】
ショッピングカート１０によって運ばれるかご１１は、１対のチェーン３０ａ、３０ｂの上に載り、各側面が各連結フレームＡ〜Ｄによって支持される（図１Ｂ参照）。
【００４０】
従って、ショッピングカート１０にかご１１が載せられることによって、各連結部２０ａ〜２０ｄの回転が制限されるので、折りたたみ機構１４の動作が制限される。その結果、ショッピングカート１０の形態が安定する。
【００４１】
次に、ショッピングカート１０の折りたたみ動作について説明する。ショッピングカート１０は、例えば次の手順ＳＡ１、ＳＡ２に従って折りたたまれる。
【００４２】
（手順ＳＡ１）
ショッピングカート１０に、かご１１（図１Ｂ参照）が載っている場合には、そのかご１１を降ろす。
【００４３】
（手順ＳＡ２）
使用者が、左手で上側の連結フレームＡを、右手で上側の連結フレームＣを持ち、それぞれ各連結フレームＡ、Ｃの長手方向の反対に向かって力を加える。すると、折りたたみ機構１４によって各連結フレームＡ、Ｃの端部が各脚部１２ａ〜１２ｄ回りに回転し（各脚部１２ａ〜１２ｄが水平方向に移動し）、図３に示すように、簡単にショッピングカート１０が折りたたまれる。
なお、チェーン３０ａ、３０ｂは、図１Ａに示すように、たるみを持った状態で取り付けられているので、折りたたみ動作の妨げになることはない。
【００４４】
このように、本実施の形態に係るショッピングカート１０によれば、連結フレームに対して長手方向に力を加えるだけで折りたたまれるので、かがんで折りたたむ必要がなく、折りたたみ動作が容易である。また、折りたたまれた状態のショッピングカート１０は厚みが薄いので、小さなスペースに保管できる。
【００４５】
また、ショッピングカート１０は、例えば自動車に載せて搬送可能であり、自動車に積みこんで買い物に出かけ、自動車から降ろしてスーパー店内に入ることができる。買い物を終えた後には、ショッピングカート１０を折りたたみ、再び自動車に積みこんで帰宅することができるので、利便性が極めて高い。
【００４６】
また、本実施の形態に係るかご付きショッピングカート１０ａによれば、スーパーでの買い物の際に、購入した商品をかご１１に入れて会計を済ませ、そのまま帰宅できるので、袋詰めする手間が省ける。
【００４７】
（実施の形態２）
続いて、実施の形態２について説明する。実施の形態１に係るショッピングカート１０と同一の構成要素については、同じ符号を付して詳しい説明を省略する。
（全体概要）
図４は、本考案の実施の形態２に係るショッピングカート５０の折りたたみ動作制限機構を平面視した説明図である。ショッピングカート５０は、図４に示すように、更に、折りたたみ機構の動作を制限する折りたたみ動作制限機構５２を更に備えている。
【００４８】
図１で説明したショッピングカート１０であるが、折りたたみ機構１４の動作がかご１１によって制限されるだけであると、かごの大きさとの不整合などによって、使用上の不具合が起こることがある。例えば、予め決められたかご１１以外のかごが使用されると、サイズが不整合となる場合がある。
【００４９】
このような場合に、わざわざかご１１を取りに帰ったりすることが不便である。この場合、連結フレームＡ〜Ｄが、かご１１の設定によってのみ折りたたみ動作が制限されるだけであると、買い物に適したショッピングカートが得られないという問題もある。
【００５０】
更に、ショッピングカートにかご１１を載せていない場合に、キャスター１６が床面から突出した段差に接触した場合、使用者の意図によらず、各連結部２０ａ〜３０ｄが各脚部１２ａ〜１２ｄ回りに回転して折りたたみ機構１４が動作してしまうという問題、すなわち、使用者の意図によらず、ショッピングカートが変形してしまうという問題もある。
【００５１】
この問題に対して、ショッピングカート５０が、折りたたみ機構１４の折りたたみ動作制限機構５２を有していることによって、前述の問題を解消できる。
また、かごの大きさに合わせた折りたたみの動作制限だけでなく、使用者の意図や都合に合わせた動作制限ができれば、連結フレームＡ〜Ｄが開いたときの形状やサイズを使用者の意図や都合に合わせることができる。
【００５２】
例えば、連結フレームＡ〜Ｄの開閉において、複数の開閉度合いを設定できる段階式のロック機構（不図示）を設けることも可能である。この段階式のロック機構を設けることにより、予め決められた大きさよりも小さいかごが載せられた場合であっても、このかごを安定して支持することができる。
【００５３】
（折りたたみ動作制限機構）
折りたたみ動作制限機構５２は、例えば図４に示すように、一端部がフレームＡの第２脚部１２ｂ側の端部に、他端部がフレームＢの第２脚部１２ｂ側の端部に固定可能な制限部材５４を用いて構成される。制限部材の形状は、板状であり、その素材は、例えばアルミニウムである。
なお、制限部材５４の長さを段階的に可変とすることで、段階式のロック機構を構成することができる。
【００５４】
次に、本実施の形態に係るショッピングカート５０の使用方法について説明する。ショッピングカート５０は、例えば次の手順ＳＢ１〜ＳＢ３に従って使用される。
【００５５】
（手順ＳＢ１）
ショッピングカート５０の連結フレームＡ〜Ｄを開いて、ショッピングカート５０を展開する。
【００５６】
（手順ＳＢ２）
図４に示すかご５１を連結フレームＡ〜Ｄの内側に収め、チェーン３０ａ、３０ｂの上に載せる。
【００５７】
（手順ＳＢ３）
かご５１が、予め決められたかご１１（図１Ａ参照）よりも寸法が小さい場合には、折りたたみ動作制限機構５２を用いて折りたたみ動作を制限する。即ち、連結フレームＡ〜Ｄが自在に開閉しないように、制限部材５４を用いて連結フレームＡ及び連結フレームＢを互いに固定する。
【００５８】
このように、かご５１を用いてショッピングカート５０の形態を安定させることができない場合であっても、折りたたみ動作制限機構５２を用いることによって、ショッピングカート５０の形態を安定させることができる。また、段階式のロック機構を用いることによって、かごの大きさに合わせて連結フレームＡ〜Ｄの開閉度合いを調整し、ショッピングカート５０の形態を安定させることができる。
【００５９】
以上、実施の形態で説明されたショッピングカート及びかご付きショッピングカートは、本考案の趣旨を説明する一例であり、本考案の趣旨を逸脱しない範囲での変形や改造を含む。
【符号の説明】
【００６０】
１０    ショッピングカート
１０ａ    かご付きショッピングカート
１１    かご
１２ａ    第１脚部
１２ｂ    第２脚部
１２ｃ    第３脚部
１２ｄ    第４脚部
１４    折りたたみ機構
１６    キャスター
２０ａ    第１連結部
２０ｂ    第２連結部
２０ｃ    第３連結部
２０ｄ    第４連結部
３０ａ、３０ｂ    チェーン
５０    ショッピングカート
５１    かご
５２    折りたたみ動作制限機構
５４    制限部材
Ａ    連結フレーム
Ｂ    連結フレーム
Ｃ    連結フレーム
Ｄ    連結フレーム
【図１Ａ】
0003174856.tif 000003
【図１Ｂ】
0003174856.tif 000004
【図２Ａ】
0003174856.tif 000005
【図２Ｂ】
0003174856.tif 000006
【図２Ｃ】
0003174856.tif 000007
【図３】
0003174856.tif 000008
【図４】
0003174856.tif 000009